(57)【要約】【課題】  地上アナログテレビジョン放送信号と隣接している空きチャンネルにも、地上アナログテレビジョン放送信号に妨害を与えることなく、地上デジタルテレビジョン放送信号を周波数変換する。【解決手段】  ブロックコンバータ部４、６は、接続される共同受信システムにおいて伝送可能で地上デジタルテレビジョン放送信号を伝送不能な空きチャンネルのうち、地上アナログテレビジョン放送信号のチャンネルと非隣接の連続空きチャンネルに、複数の地上デジタルテレビジョン放送信号を、纏めて周波数変換する。単チャンネルコンバータ部３２が、前記地上デジタルテレビジョン放送信号と異なる１波の地上デジタルテレビジョン放送信号を、前記空きチャンネルのうち前記地上アナログテレビジョン放送信号と隣接するものに周波数変換する。【選択図】        図１
2008271390.tif 000002
【特許請求の範囲】
【請求項１】
接続される共同受信システムにおいて伝送可能であって、地上アナログテレビジョン放送信号のチャンネルが含まれ、かつ地上デジタルテレビジョン放送信号を伝送不能な周波数帯の空きチャンネルのうち、前記地上アナログテレビジョン放送信号のチャンネルと非隣接の複数の連続する空きチャンネル内に、前記地上デジタルテレビジョン放送信号のうち連続するチャンネルを含む１グループのものを、纏めて周波数変換するブロックコンバータ手段と、
前記地上デジタルテレビジョン放送信号のうち前記１グループの地上デジタルテレビジョン放送信号と異なる１波の地上デジタルテレビジョン放送信号を、中間周波信号に周波数変換する第１周波数変換手段と、前記中間周波信号が供給され、この中間周波信号のみを通過させる帯域通過フィルタと、この帯域通過フィルタを通過した前記中間周波信号を、前記空きチャンネルのうち前記地上アナログテレビジョン放送信号と隣接するものに周波数変換する第２周波数変換手段とを、備える単チャンネルコンバータ手段と、
前記ブロックコンバータ手段の出力信号と前記単チャンネルコンバータの出力信号とを合成して、前記共同受信システムに出力する合成手段とを、
具備するブロックコンバータ。
【請求項２】
請求項１記載のブロックコンバータにおいて、前記空きチャンネルがミッドバンドに存在し、前記単チャンネルコンバータの出力信号のチャンネルが、前記ミッドバンドの両端のいずれか一方であるブロックコンバータ。
【請求項３】
請求項１または２記載のブロックコンバータにおいて、前記単チャンネルコンバータの帯域通過フィルタがＳＡＷフィルタであるブロックコンバータ。
【発明の詳細な説明】
【技術分野】
【０００１】
本発明は、ブロックコンバータに関し、特に、地上デジタルテレビジョン放送信号を周波数変換するものに関する。
【背景技術】
【０００２】
近年、地上デジタルテレビジョン放送が開始されている。地上デジタルテレビジョン放送信号を、共同受信システムを介して伝送することがある。但し、共同受信システムの伝送周波数帯域が狭帯域で、直接に地上デジタルテレビジョン放送信号を伝送することができない場合に、地上デジタルテレビジョン放送信号を、その共同受信システムで伝送可能なミッドバンドに周波数変換して伝送することが行われている。この場合に使用するブロックコンバータの一例が非特許文献１に開示されている。このブロックコンバータでは、ＵＨＦ帯のチャンネル１３（ＣＨ１３）乃至チャンネル１８（ＣＨ１８）の連続する６波の地上デジタルテレビジョン放送信号をミッドバンドのチャンネルＣ１４乃至Ｃ１９に、ＵＨＦ帯のチャンネル２４（ＣＨ２４）の地上デジタルテレビジョン放送信号をミッドバンドのチャンネルＣ２１に周波数変換している。なお、チャンネルＣ２０に周波数変換していないのは、チャンネル１９（ＣＨ１９）に地上アナログテレビジョン放送信号が存在しており、ＣＨ１３乃至ＣＨ１８をＣ１４乃至Ｃ１９に周波数変換した際、ＣＨ１９がＣ２０に自動的に周波数変換されるので、ＣＨ２４をＣ２０に周波数変換すると、両者が共に受信不能となるからである。
【０００３】
【非特許文献１】月刊「衛星＆ケーブルテレビ」  株式会社テレケーブル新聞社  平成１８年２月１５日  第３９巻第２号  裏表紙
【発明の開示】
【発明が解決しようとする課題】
【０００４】
ミッドバンドは、Ｃ１３からＣ２２まで設定されているが、Ｃ１３はＶＨＦ放送バンドのチャンネル３（ＣＨ３）に隣接し、Ｃ２２はＶＨＦ放送バンドのチャンネル４（ＣＨ４）に隣接している。従って、Ｃ１３またはＣ２２に地上デジタルテレビジョン放送信号を上記のようなブロックコンバータで周波数変換した場合、ブロックコンバータが纏めて複数波の地上デジタルテレビジョン放送信号を周波数変換する構成である関係上、内部で使用しているバンドパスフィルタに遮断特性が先鋭なものを使用できず、隣接するＶＨＦ放送バンドのＣＨ３またはＣＨ４に妨害を与える可能性がある。そのため、ＶＨＦ放送バンドから離れているＣ１４乃至Ｃ２１に周波数変換している。ところが、受信地域によっては、上述したＣＨ１３乃至ＣＨ１８、ＣＨ２４以外の他の地上デジタルテレビジョン放送信号を受信可能なことがある。しかし、上述したようなブロックコンバータでは、ＣＨ１４乃至ＣＨ２０しか利用できず、上述した他の地上デジタルテレビジョン放送信号を周波数変換して、伝送することが不可能となり、周波数の有効利用が図れていなかった。
【０００５】
この問題は、例えばＶＨＦ放送バンドの最高チャンネルであるチャンネル１２（ＣＨ１２）に後続するスーパーハイバンドのチャンネル２４（Ｃ２４）乃至チャンネル２６（ＣＨ２６）に３波の地上デジタルテレビジョン放送信号をブロックコンバートしている場合に、更に１波の地上デジタルテレビジョン放送信号をＣＨ１２に隣接するスーパーハイバンドのチャンネル２３（Ｃ２３）に周波数変換したいような場合にも、生じる。
【０００６】
本発明は、地上アナログテレビジョン放送信号と隣接している空きチャンネルにも、地上デジタルテレビジョン放送信号を周波数変換することを可能として周波数の有効利用を図るブロックコンバータを提供することを目的とする。
【課題を解決するための手段】
【０００７】
本発明の一態様のブロックコンバータは、ブロックコンバータ手段を有している。このブロックコンバータ手段は、連続する複数チャンネルを含む１グループの地上デジタルテレビジョン放送信号を周波数変換する。１グループ内には、連続する複数チャンネル以外のチャンネルを含むこともある。周波数変換される周波数帯域は、このブロックコンバータが接続される共同受信システムにおいて伝送可能な周波数帯域であって、地上アナログテレビジョン放送信号のチャンネルが含まれ、かつ地上デジタルテレビジョン放送信号をそのまま伝送不能な周波数帯域である。ブロックコンバータ手段は、この周波数帯域の空きチャンネル、即ち地上アナログテレビジョン放送信号で使用されていないチャンネルであって、地上アナログテレビジョン放送信号のチャンネルと非隣接の連続する複数の空きチャンネル内に纏めて周波数変換する。このブロックコンバータ手段は、１台だけ設けることもできるし、複数台設けることもできる。このブロックコンバータ手段の他に、単チャンネルコンバータ手段が設けられている。この単チャンネルコンバータ手段は、第１周波数変換手段を有し、この第１周波数変換手段は、前記１グループの地上デジタルテレビジョン放送信号と異なる１波の地上デジタルテレビジョン放送信号を、中間周波信号に周波数変換する。中間周波信号は、地上アナログテレビジョン放送信号や地上デジタルテレビジョン放送信号と周波数が重複しないように、また、これらよりも低い周波数に選択することが望ましい。第１周波数変換手段からの前記中間周波信号が帯域通過フィルタに供給される。この帯域通過フィルタは、この中間周波信号のみを通過させる狭帯域のものである。この帯域通過フィルタを通過した前記中間周波信号が第２周波数変換手段に供給され、第２周波数変換手段は、空きチャンネルのうち地上アナログテレビジョン放送信号と隣接する空きチャンネルに周波数変換する。ブロックコンバータ手段の出力信号と単チャンネルコンバータの出力信号とが、合成手段によって合成され、前記共同受信システムに出力される。
【０００８】
このように構成したブロックコンバータでは、単チャンネルコンバータ手段によって、地上アナログテレビジョン放送信号に隣接するチャンネルに、地上デジタルテレビジョン放送信号を周波数変換している。この単チャンネルコンバータ手段は、第１周波数変換手段によって地上デジタルテレビジョン放送信号を中間周波信号に周波数変換し、この中間周波信号のみを通過させる帯域通過フィルタを通過させている。１波の中間周波信号のみを通過させるので、その遮断特性は容易に先鋭にすることができる。この遮断特性が先鋭な帯域通過フィルタを通過した中間周波信号を第２周波数変換手段によって地上アナログテレビジョン放送信号に隣接するチャンネルに周波数変換しているので、隣接する地上アナログテレビジョン放送信号に妨害を与えることはない。
【０００９】
空きチャンネルは、例えばＶＨＦ放送バンドにおけるＣＨ３とＣＨ４との間に存在するミッドバンドとすることができ、単チャンネルコンバータの出力信号のチャンネルは、前記ミッドバンドの両端のチャンネルＣ１３、Ｃ２２のいずれか一方とすることができる。単チャンネルコンバータ手段をもう１台設けることによって、ミッドバンドの両端のチャンネルにそれぞれ地上デジタルテレビジョン放送信号を周波数変換することができる。単チャンネルコンバータの帯域通過フィルタは、遮断特性が先鋭なＳＡＷフィルタとすることができる。これによって、より確実に隣接する地上アナログテレビジョン放送信号に対する妨害を抑圧することができる。
【発明の効果】
【００１０】
以上のように、本発明によれば、単チャンネルコンバータ手段をブロックコンバータに設けることによって、ミッドバンドの両端のような地上アナログテレビジョン放送信号のチャンネルと隣接するチャンネルにも、地上デジタルテレビジョン放送信号を周波数変換して伝送することができる。
【発明を実施するための最良の形態】
【００１１】
本発明の１実施形態のブロックコンバータ２は、例えば最高伝送周波数が約２２２ＭＨｚで、かつＶＨＦ帯の地上アナログテレビジョン放送信号を伝送している共同受信システムにおいて、地上デジタルテレビジョン放送信号を伝送するためのものである。地上デジタルテレビジョン放送信号は、上記の共同受信システムの最高伝送周波数よりも高い周波数帯のＵＨＦ帯のチャンネルで伝送されており、そのままのチャンネルでは上記共同受信システムでは伝送できない。そこで、地上デジタルテレビジョン放送信号を、ＶＨＦ帯の地上アナログテレビジョン放送用のチャンネル３（ＣＨ３）とチャンネル４（ＣＨ４）との間にあり、上記共同受信システムで伝送可能なチャンネルＣ１３乃至Ｃ２２のミッドバンドに、このブロックコンバータが周波数変換する。
【００１２】
このブロックコンバータ２は、図２に示すように、チャンネル１３（ＣＨ１３）乃至１８（ＣＨ１８）、ＣＨ２４、ＣＨ２６の地上デジタルテレビジョン放送信号を、上述したＣ１３乃至Ｃ２２に周波数変換する。なお、ＣＨ１８の後側のチャンネル１９（ＣＨ１９）には地上アナログテレビジョン放送信号が存在する。
【００１３】
このブロックコンバータ２は、ＣＨ１３乃至ＣＨ１８を纏めてＣ１４乃至Ｃ１９に周波数変換するブロックコンバータ部４と、ＣＨ２４をＣ２１に周波数変換するブロックコンバータ部６とを、有している。例えばブロックコンバータ部４で、ＣＨ１３乃至ＣＨ２４を纏めて周波数変換することも可能であるが、その場合、ＣＨ２４は、ミッドバンドの帯域から外れるので、２つのコンバータ部４、６を使用している。この場合、コンバータ部６において、ＣＨ２４をＣ２０に周波数変換することも可能であるが、上述したようにＣＨ１９には、地上アナログテレビジョン放送信号が存在し、これがブロックコンバータ部４においてＣ２０に周波数変換されるので、Ｃ２０を避けて、Ｃ２１に周波数変換している。
【００１４】
そのため、図１に示すように、入力端子６には、図示していないアンテナで受信されたＣＨ１３乃至ＣＨ１８、ＣＨ２４、ＣＨ２６の地上デジタルテレビジョン放送信号が供給されている。これら地上デジタルテレビジョン放送信号は、これら信号を通過させる抽出手段、例えばバンドパスフィルタ８によって不要な信号が除去され、増幅手段、例えば増幅器１０によって増幅され、分岐手段、例えば１分岐器１２、分配手段、例えば２分配器１４を介して、ブロックコンバータ部４、ブロックコンバータ部６に供給される。
【００１５】
ブロックコンバータ部４では、２分配器１４からの分配出力をミキサー１６に供給する。ミキサー１６には局部発振手段、例えば局部発振器１８から局部発振信号が供給される。この局部発振信号の周波数は、ＣＨ１３乃至ＣＨ１８を、Ｃ１４乃至Ｃ１９に周波数変換できるように、例えばＣＨ１３の中心周波数とＣ１４の中心周波数との差の周波数に選択されている。このようにしてＣ１４乃至Ｃ１９に周波数変換された地上デジタルテレビジョン放送信号は、増幅手段、例えば増幅器２０によって増幅された後、抽出手段、例えばバンドパスフィルタ２２によって不要な信号が除去される。なお、バンドパスフィルタ２２は、Ｃ１４乃至Ｃ１９を通過させるため比較的広帯域に構成されている。
【００１６】
ブロックコンバータ部６も同様に、ミキサー２４、局部発振器２６、増幅器２８、バンドパスフィルタ３０によって構成され、ＣＨ２４の地上デジタルテレビジョン放送信号をＣ２１に周波数変換する。そのため、局部発振器２６の発振周波数は、ＣＨ２４の中心周波数とＣ２１の中心周波数との差の周波数とされ、バンドパスフィルタ３０は、ＣＨ２４を通過させることができるものである。
【００１７】
但し、この実施形態では、ＣＨ１３乃至ＣＨ１８まで連続したチャンネルで地上デジタルテレビジョン信号が存在したので、ブロックコンバータ部６は、ＣＨ２４のみを周波数変換したが、使用地域によっては、例えばＣＨ１８、ＣＨ１９、ＣＨ２１乃至ＣＨ２６のようなチャンネルで地上デジタルテレビジョン放送信号が伝送されており、ブロックコンバータ部４でＣＨ１８、ＣＨ１９を、ブロックコンバータ部６でＣＨ２１乃至ＣＨ２６を周波数変換する場合もある。この場合に、局部発振器１８、２６の発振周波数の変更と、バンドパスフィルタ２２、３０の通過帯域の変更とによって、対応することができるようにするため、バンドパスフィルタ３０の通過帯域も、バンドパスフィルタ２２と同様に広帯域のものが使用されている。
【００１８】
図２から明らかなように、ブロックコンバータ部４、６でのＣＨ１３乃至ＣＨ１８の連続するグループの地上デジタルテレビジョン放送信号とＣＨ２４の地上デジタルテレビジョン放送信号とは、Ｃ１４乃至Ｃ２１に周波数変換されている。ＣＨ３に隣接するＣ１３とＣＨ４に隣接するＣ２２とは空きチャンネルにされている。これは、コンバータ部２、４のバンドパスフィルタ２２、３０が広帯域であるので、その遮断特性が先鋭でなく、ＣＨ３、ＣＨ４に妨害を与える可能性があるからである。しかし、この実施形態では、上記の各チャンネルの地上デジタルテレビジョン放送信号の他に、ＣＨ２６の地上デジタルテレビジョン放送信号も存在しており、これも周波数変換する必要がある。しかし、それにはＣＨ３またはＣＨ４に隣接するＣ１３またはＣ２１に周波数変換しなければならず、しかもＣＨ３、ＣＨ４に妨害を与えないように周波数変換しなければならない。そのため、このブロックコンバータ２では、単チャンネルコンバータ３２を使用している。
【００１９】
単チャンネルコンバータ部３２は、１分岐器１２の分岐出力が供給される単チャンネル抽出手段、例えばバンドパスフィルタ３４を有している。このバンドパスフィルタ３４は、チャンネル２６のみを抽出する狭帯域のものである。
【００２０】
このバンドパスフィルタ３４の出力信号は、増幅手段、例えば増幅器３６によって増幅された後、第１周波数変換手段のミキサー３８に供給される。ミキサー３８には第１局部発振手段、例えば局部発振器４０から第１局部発振信号が供給されている。ミキサー３８は、増幅器３６からのＣＨ２６の地上デジタルテレビジョン放送信号を中間周波信号に周波数変換する。中間周波信号が、地上デジタル及びアナログテレビジョン放送信号の周波数とは重複しない周波数、例えば５０ＭＨｚ帯の周波数帯になるように、第１局部発振信号の周波数は選択されている。
【００２１】
ミキサー３８からの中間周波信号は、増幅手段、例えば増幅器４２によって増幅された後、帯域通過フィルタ、即ちバンドパスフィルタ４４によって不要な信号が除去される。このバンドパスフィルタ４４は、例えばＳＡＷフィルタによって構成され、中間周波信号のみを通過させ、かつその遮断特性が先鋭なものである。ＳＡＷフィルタは、低い周波数である中間周波信号であるので、その遮断特性を充分に先鋭なものに容易にすることができる。
【００２２】
このバンドパスフィルタ４４を通過した中間周波信号は、第２周波数変換手段のミキサー４８に供給される。ミキサー４８には、第２局部発振手段、例えば局部発振器５０からの第２局部発振信号が供給されている。ミキサー４８は、中間周波信号をＣＨ１３の地上デジタルテレビジョン放送信号に周波数変換する。この周波数変換が行えるように第２局部発振信号の周波数は選択されている。
【００２３】
このミキサー４８の出力信号は、増幅手段、例えば増幅器５２によって増幅された後、抽出手段、例えばＣＨ１３のみを通過させる狭帯域のバンドパスフィルタ５４を通過する。
【００２４】
このように単チャンネルコンバータ部３２では、ミッドバンドの端のチャンネルに周波数変換する必要のある地上デジタルテレビジョン放送信号を単独で周波数変換し、しかも、それにダブルコンバージョンを行うことで、一旦低い周波数の中間周波信号に周波数変換して、この低い周波数の中間周波信号において狭帯域で先鋭な遮断特性を持つフィルタによって不要信号を除去している。従って、ミッドバンドの端のチャンネルに周波数変換しても、隣接するＶＨＦ帯の地上アナログテレビジョン放送信号に妨害を与えることはない。
【００２５】
なお、ブロックコンバータ部４、６及び単チャンネルコンバータ部３２の出力信号は、合成手段、例えば合成器５６で合成された後、増幅手段、例えば増幅器５８によって増幅され、出力端子６０を介して共同受信システムに伝送される。
【００２６】
上記の実施の形態では、２つのブロックコンバータ部４、６を使用したが、受信する地上デジタルテレビジョン放送のチャンネル割り当てによっては、１台のブロックコンバータ部のみを使用することもある。また、上記の実施形態では、ＣＨ２６をＣ１３に周波数変換したが、図２に破線で示すように、Ｃ２２に周波数変換することもある。
【００２７】
上記の実施の形態では、このブロックコンバータ２と共に使用される共同受信システムの最高伝送周波数が約２２２ＭＨｚであるので、Ｃ１３乃至Ｃ２２のミッドバンドに地上デジタルテレビジョン放送信号を周波数変換した。しかし、共同受信システムの最高伝送周波数が約２５０ＭＨｚの場合、チャンネル１２（ＣＨ１２）よりも高いスーパーハイバンドのチャンネルＣ２３乃至Ｃ２７に地上デジタルテレビジョン放送信号を周波数変換することがある。この場合にも、この発明を実施することができる。但し、Ｃ２４乃至Ｃ２７にはブロックコンバータ部を使用して周波数変換を行い、ＣＨ１２に隣接しているＣ２３には単チャンネルコンバータを使用して周波数変換を行う。
【００２８】
また、上記の実施形態では、各増幅器は、固定利得のものとしたが、これらを可変利得増幅器として自動利得制御を行うようにすることも可能である。
【００２９】
上記の実施形態で示した地上デジタルテレビジョン放送信号の各チャンネルは、一例であり、このブロックコンバータが使用される地域に地上デジタルテレビジョン放送信号用に割り当てられているチャンネルに応じたものとすることができる。
【図面の簡単な説明】
【００３０】
【図１】本発明の１実施形態のブロックコンバータのブロック図である。
【図２】図１のブロックコンバータにおける周波数変換の状態を示す図である。
【符号の説明】
【００３１】
４  ６  ブロックコンバータ部
３２  単チャンネルブロックコンバータ部
３８  ミキサー（第１周波数変換手段）
４０  局部発振器（第１周波数変換手段）
４４  バンドパスフィルタ（帯域通過フィルタ）
４８  ミキサー（第２周波数変換手段）
５０  局部発振器（第２周波数変換手段）
【図１】
2008271390.tif 000003
【図２】
2008271390.tif 000004